(57)【要約】      （修正有）【課題】加圧水供給経路内の残水中にレジオネラ菌などの雑菌の繁殖を抑制し、２流体噴霧ノズルからの不衛生な水の噴霧を防止することができる噴霧システムを提供する。【解決手段】加圧水供給経路１２上の水遮断弁２２の上流側と、水ポンプ３の上流側の給水経路１４とを接続する温水循環経路１３と、温水循環経路１３への水の流通と遮断を切り替える温水循環弁２４と、給水経路１４から温水循環経路１３への水の流通を阻止する逆止弁３１と、水ポンプ３の吸入圧力と吐出圧力の差圧を保持する減圧弁３２と、圧縮機２により圧縮された高温圧縮空気を、加圧水により冷却する熱交換器５を備え、加圧水供給経路１２上の水遮断弁２２を閉状態、温水循環経路１３上の温水循環弁２４を開状態として、圧縮空気供給経路１１側の高温圧縮空気の排熱を、熱交換器５を通して加圧水に受熱させて、水配管内部を循環させることで加熱殺菌する。【選択図】図１
2019141798.tif 000002
【特許請求の範囲】
【請求項１】
圧縮空気と加圧水とを混合してミストを噴霧する２流体噴霧ノズルを用いる噴霧システムにおいて、
前記２流体噴霧ノズルへ圧縮空気を流通させる圧縮空気供給経路と、
前記圧縮空気供給経路上に設けられ、電気的な開閉により圧縮空気の流通と遮断を切り替える空気遮断弁と、
前記２流体噴霧ノズルへ加圧水を流通させる加圧水供給経路と、
前記加圧水供給経路上に設けられ、電気的な開閉により加圧水の流通と遮断を切り替える水遮断弁と、
前記加圧水供給経路上の水遮断弁の上流側と、水ポンプの上流側の給水経路とを接続する温水循環経路と、
前記温水循環経路上に設けられ、電気的な開閉により温水循環経路への水の流通と遮断を切り替える温水循環弁と、
前記温水循環経路上に設けられ、給水経路から温水循環経路への水の流通を阻止する逆止弁と、
前記温水循環経路上に設けられ、水ポンプの吸入圧力と吐出圧力の差圧を維持する減圧弁と、
前記圧縮空気供給経路上および加圧水供給経路上に設けられ、圧縮機により圧縮された高温圧縮空気を、加圧水により冷却する熱交換器とを備え、
ミスト噴霧時は、前記水遮断弁を開状態、前記温水循環弁を閉状態とし、高温圧縮空気を冷却した加圧水を前記２流体噴霧ノズルより噴霧し、
配管内部の加熱殺菌時は、前記水遮断弁を閉状態、前記温水循環弁を開状態とし、空気経路側の高温圧縮空気の排熱を、前記熱交換器を通して加圧水に受熱させて、水配管内部に循環させることを特徴とする噴霧システム。
【請求項２】
前記加圧水経路内の水温を監視する温度センサと、水温が所定以上の温度に達した場合に、前記圧縮機を停止する制御機構をさらに備えたことを特徴とする請求項１に記載の噴霧システム。
【発明の詳細な説明】
【技術分野】
【０００１】
本発明は、霧を噴霧して屋外空間を冷却する噴霧システムに設置されるミスト配管内部の殺菌方法に関するものである。
【背景技術】
【０００２】
夏場の気温が高いとき、路面からの照り返しによって路面付近の温度が非常に高くなることがある。この場合、通行者の体感温度が上昇し、通行者の不快感が増大する。
【０００３】
このような不快感を軽減するため、水をミスト状に噴霧する少なくとも１つの噴霧ノズルと、気流を噴霧ノズルから噴霧されるミストに向けて吹き出す通気孔とを備えた冷却装置に関する技術が開示されている。
【０００４】
また係る冷却装置では、噴霧ノズルから噴霧されるミストを包み込む気流空間で形成される環境を、ミストの気化熱による冷却作用を利用して効率的に環境を冷却することができるが、この冷却効率を高めるため、微細粒子の噴霧が可能な２流体噴霧ノズルを用いたものがある。図３は従来の噴霧システムを説明するものである。図３に示すように、従来の噴霧システムでは、電気的な開閉により第１の圧縮空気供給経路１１への流通と遮断を切り替える弁２１を設け、圧縮機２から２流体噴霧ノズル４への圧縮空気の流通と遮断を切り替えている。また、電気的な開閉により加圧水供給経路１２への流通と遮断を切り替える弁２２を設け、水ポンプ３から２流体噴霧ノズル４への加圧水の流通と遮断を切り替えている。そして、２流体噴霧ノズル４は、供給された圧縮空気と加圧水とを混合したミストを噴霧する。
【０００５】
ところが、従来の２流体噴霧ノズルを用いた噴霧システムにおいては、長期間使用しない場合に、加圧水供給経路内の残水中にレジオネラ菌などの雑菌が繁殖して、ミスト運転開始時に噴霧ノズルから噴出され、不衛生となるおそれがある。そこで特許文献１では、噴霧ノズルに供給される水を熱源機からの温水により加熱殺菌するためのミスト用熱交換器を備えている。
【先行技術文献】
【特許文献】
【０００６】
【特許文献１】特許第４８２９７４７号公報
【発明の概要】
【発明が解決しようとする課題】
【０００７】
しかしながら、特許文献１に記載の従来技術では、ミスト用熱交換器を用いて、噴霧する水のみを殺菌することを目的としており、水供給経路の配管内部には、加熱殺菌に十分でない温度領域の箇所が存在するため、その箇所に発生したバイオフィルム等により、噴霧水が汚染されるおそれがあった。
【０００８】
本発明は、上述の従来の課題を解決するもので、殺菌に十分な温度域の高温水を水配管内部に所定時間以上循環させることで、２流体噴霧ノズルから噴霧する水および加圧水供給経路内の双方を加熱殺菌し、２流体噴霧ノズルから不衛生な水が噴霧されるのを防止できる噴霧システムを提供することを目的とする。
【課題を解決するための手段】
【０００９】
上述の従来の課題を解決するために、本発明の噴霧システムでは、圧縮空気と加圧水と
を混合してミストを噴霧する２流体ノズルを用いる噴霧システムにおいて、２流体噴霧ノズルへ圧縮空気を流通させる圧縮空気供給経路と、圧縮空気供給経路上に設けられ、電気的な開閉により圧縮空気の流通と遮断を切り替える空気遮断弁と、２流体噴霧ノズルへ加圧水を流通させる加圧水供給経路と、加圧水供給経路上に設けられ、電気的な開閉により加圧水の流通と遮断を切り替える水遮断弁と、加圧水供給経路上の水遮断弁の上流側と、水ポンプの上流側の給水経路とを接続する温水循環経路と、温水循環経路上に設けられ、電気的な開閉により温水循環経路への水の流通と遮断を切り替える温水循環弁と、温水循環経路上に設けられ、給水経路から温水循環経路への水の流通を阻止する逆止弁と、水ポンプの吸入圧力と吐出圧力の差圧を保持する減圧弁と、圧縮空気供給経路上および加圧水供給経路上に設けられ、圧縮機により圧縮された高温圧縮空気を、加圧水により冷却する熱交換器を備え、ミスト噴霧時は、水遮断弁を開状態、温水循環弁を閉状態として、２流体噴霧ノズルからミストを噴霧し、加熱殺菌時は、水遮断弁を閉状態、温水循環弁を開状態として、空気経路側の高温圧縮空気の排熱を、熱交換器を通して加圧水に受熱させて、水配管内部に循環させる。
【００１０】
これによって、加圧水供給経路内の残水中にレジオネラ菌などの雑菌が繁殖した場合に、殺菌に十分な温度域の高温水を、水配管内部に所定時間以上循環させることで、残水および加圧水供給経路内を加熱殺菌する。
【発明の効果】
【００１１】
本発明の噴霧システムによれば、噴霧システムを長期間使用せず、加圧水供給経路内の残水中にレジオネラ菌などの雑菌が繁殖した場合に、殺菌に十分な温度域の高温水を、水配管内部に所定時間以上循環するので、２流体噴霧ノズルから噴霧する水および加圧水供給経路内の双方を加熱殺菌し、２流体噴霧ノズルから不衛生な水が噴霧されるのを防止することができる。
【図面の簡単な説明】
【００１２】
【図１】実施の形態１に係る噴霧システムの構成を示す図。
【図２】実施の形態２に係る噴霧システムの構成を示す図。
【図３】従来の噴霧システムの構成を示す図。
【発明を実施するための形態】
【００１３】
第１の発明は、圧縮空気と加圧水とを混合してミストを噴霧する２流体ノズルを用いる噴霧システムにおいて、２流体噴霧ノズルへ圧縮空気を流通させる圧縮空気供給経路と、圧縮空気供給経路上に設けられ、電気的な開閉により圧縮空気の流通と遮断を切り替える空気遮断弁と、２流体噴霧ノズルへ加圧水を流通させる加圧水供給経路と、加圧水供給経路上に設けられ、電気的な開閉により加圧水の流通と遮断を切り替える水遮断弁と、加圧水供給経路上の水遮断弁の上流側と、水ポンプの上流側の給水経路とを接続する温水循環経路と、温水循環経路上に設けられ、電気的な開閉により温水循環経路への水の流通と遮断を切り替える温水循環弁と、温水循環経路上に設けられ、給水経路から温水循環経路への水の流通を阻止する逆止弁と、水ポンプの吸入圧力と吐出圧力の差圧を保持する減圧弁と、圧縮空気供給経路上および加圧水供給経路上に設けられ、圧縮機により圧縮された高温圧縮空気を、加圧水により冷却する熱交換器とを備え、ミスト噴霧時は、水遮断弁を開状態、温水循環弁を閉状態として、２流体噴霧ノズルからミストを噴霧し、加熱殺菌時は、水遮断弁を閉状態、温水循環弁を開状態として、空気経路側の高温圧縮空気の排熱を、熱交換器を通して加圧水に受熱させて、水配管内部に循環させることにある。
【００１４】
当該構成によれば、加圧水供給経路内の残水中にレジオネラ菌などの雑菌が繁殖している恐れがある場合に、簡易な構成で、殺菌に十分な温度域の高温水を、水配管内部に所定時間以上循環するので、２流体噴霧ノズルから噴霧する水および加圧水供給経路内の双方
を加熱殺菌し、２流体噴霧ノズルから不衛生な水が噴霧されるのを防止することができる。
【００１５】
第２の発明は、第１の発明において、加圧水経路内の水温を監視する温度センサと、水温が所定以上の温度に達した場合に、圧縮機を停止する制御機構を備えたことにある。
【００１６】
当該構成によれば、圧縮機により圧縮された高温圧縮空気の温度が異常に高く、加熱殺菌中に加圧水経路内の水温が、沸点もしくは電磁弁等の機器の破損につながる温度となる場合であっても、圧縮機を停止することで、水温が所定温度以上に上昇することがなく、安全に加熱殺菌を継続することができる。
【００１７】
以下、本発明の実施の形態について、図面を参照しながら説明する。なお、本実施の形態によって本発明が限定されるものではない。
【００１８】
（実施の形態１）
［噴霧システム１Ａの構成］
図１は、実施の形態１に係る噴霧システムの構成を示す図である。
【００１９】
本発明の実施の形態１の噴霧システムの圧縮空気供給経路１１の上流側には、図１に示す如く、２流体噴霧ノズル４へ流通させる圧縮空気を生成する圧縮機２が設けられている。また圧縮空気経路１１には、圧縮機２により圧縮された高温圧縮空気を冷却するための熱交換器５、電気的な開閉により圧縮空気の流通と遮断を切り替える空気遮断弁２１が設けられている。なお、以下では特段説明が無い場合、各機器の制御、例えば弁の開閉や圧縮機２の運転停止の制御は図示しない制御手段の命令によって行われる。
【００２０】
一方、加圧水供給経路１２の上流側には、２流体噴霧ノズル４へ流通させる加圧水を生成する水ポンプ３が設けられている。また加圧水供給経路１２には、圧縮機２により圧縮された高温圧縮空気を冷却するための熱交換器５、機械的な開閉により加圧水の流通と遮断を切り替える水遮断弁２２が設けられており、これらの機器と２流体噴霧ノズル４は、加圧水供給経路１２を介して互いに接続されている。
【００２１】
また、加圧水供給経路１２から、水遮断弁２２の上流側で分岐され、水ポンプ３の上流側に配管されている給水経路１４に、加圧水を戻すための温水循環経路１３が配管されており、温水循環経路１３上には、給水経路１４から温水循環経路１３への水の流通を阻止する逆止弁３１と、水ポンプ３の吸入圧力と吐出圧力の差圧を保持する減圧弁３２が設けられている。
【００２２】
ここで熱交換器５は、圧縮機２によって高温圧縮空気が生成されている場合に、加圧水経路１２を流通する加圧水の温度を、高温圧縮空気の熱によって昇温することが可能な気体と液体の熱交換器であり、加熱殺菌時の加圧水の温度については、高温圧縮空気の温度および熱交換器５の性能により決まる。
【００２３】
また本発明の実施形態に係る噴霧システムでは、高温圧縮空気の温度および熱交換器５の性能により決まる温度の高温水を、所定時間以上加圧水供給経路１２の内部に循環させることにより、加圧水経路１２の内部を加熱殺菌する構成としている。
【００２４】
［動作］
以下、実施の形態１に係る噴霧システム１Ａの動作及び作用を、図１を参照しながら説明する。
【００２５】
噴霧システムの運転開始時に、電気的な開閉により圧縮空気の流通と遮断を切り替える空気遮断弁２１に電気的な入力信号を送ることにより、空気遮断弁２１を開くと共に、圧縮機２を起動する。これにより、熱交換器５に高温圧縮空気が流通され、熱交換器５の温度が上昇すると共に、２流体噴霧ノズル４から圧縮空気が系外に排出される。
【００２６】
運転開始後、電気的な開閉により温水循環経路１３への水の流通と遮断を切り替える温水循環弁２４に電気的な入力信号を送ることにより、温水循環弁２４を開くと共に、水ポンプ３を起動する。これにより、熱交換器５に加圧水が流通され、熱交換器５から熱を奪うことで、徐々に水温を上昇させながら、加圧水経路１２および温水循環経路１３を循環する。
【００２７】
運転開始から一定時間経過後、加圧水の温度は、高温圧縮空気の温度および熱交換器５の性能により決まる値まで上昇し、温度は一定となる。通常、高温圧縮空気の温度は１００℃前後となるため、加圧水は７０℃以上の温度まで昇温される。この加圧水を所定時間以上循環させることにより、加圧水経路１２および温水循環経路１３の配管内部および加圧水が加熱殺菌される。
【００２８】
ミスト噴霧時は、電気的な開閉により加圧水の流通と遮断を切り替える水遮断弁２２を開け、電気的な開閉により温水循環経路１３への水の流通と遮断を切り替える温水循環弁２４を閉じると共に、給水経路１４を開放して、ミストを噴霧するが、配管内に残留していた加圧水はすでに加熱殺菌されているため、２流体噴霧ノズル４からの不衛生な水の噴霧を防止することができる。
【００２９】
（実施の形態２）
［噴霧システム１Ｂの構成］
図２は、実施の形態２に係る噴霧システムの構成を示す図である。
【００３０】
本発明の実施形態に係る噴霧システム１Ｂが、発明の実施形態に係る噴霧システム１Ａと異なる点は、図２に示す如く、加圧水供給経路１２上または温水循環経路１３上に、循環している温水の温度を検知する温度センサ３３と、温度センサ３３からの温度情報により、圧縮機２を停止する制御機構４１を設けていることである。
【００３１】
［動作］
以下、実施の形態２に係る噴霧システム１Ｂの動作及び作用を、図２を参照しながら説明する。
【００３２】
噴霧システムの運転開始時に、電気的な開閉により圧縮空気の流通と遮断を切り替える空気遮断弁２１に電気的な入力信号を送ることにより、空気遮断弁２１を開くと共に、圧縮機２を起動する。これにより、熱交換器５に高温圧縮空気が流通され、熱交換器５の温度が上昇すると共に、２流体噴霧ノズル４から圧縮空気が系外に排出される。
【００３３】
運転開始後、電気的な開閉により温水循環経路１３への水の流通と遮断を切り替える温水循環弁２４に電気的な入力信号を送ることにより、温水循環弁２４を開くと共に、水ポンプ３を起動する。これにより、熱交換器５に加圧水が流通され、熱交換器５から熱を奪うことで、徐々に水温を上昇させながら、加圧水経路１２および温水循環経路１３を循環する。
【００３４】
加圧水の温度は、高温圧縮空気の温度および熱交換器５の性能により決まる値まで昇温されるが、その温度が加圧水経路１２および温水循環経路１３に設けられている機器の耐熱温度を超える場合、機器の破損につながるおそれがあるため、温度センサ３３からの温
度情報により、制御機構４１が機器の耐熱温度を超える前に圧縮機２の運転を停止する。通常、無芽胞細菌、真菌の加熱殺菌に必要な温度は、５０〜６０℃であるため、圧縮機２を停止する温度を６０℃とし、機器の耐熱温度を６５℃以上とすることが望ましい。
【００３５】
ミスト噴霧時は、最初に圧縮機２の運転停止状態を確認し、圧縮機２が停止している場合は、運転を再開してから、電気的な開閉により加圧水の流通と遮断を切り替える水遮断弁２２を開け、電気的な開閉により温水循環経路１３への水の流通と遮断を切り替える温水循環弁２４を閉じると共に、給水経路１４を開放して、ミストを噴霧する。
【００３６】
上記実施の形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【産業上の利用可能性】
【００３７】
本発明は、２流体噴霧ノズルを用いてミストを屋外空間に噴き出して屋外空間を冷却する噴霧システムの配管内殺菌に好適である。
【符号の説明】
【００３８】
１Ａ、１Ｂ  噴霧システム
２  圧縮機
３  水ポンプ
４  ２流体噴霧ノズル
５  熱交換器
１１  圧縮空気供給経路
１２  加圧水供給経路
１３  温水循環経路
１４  給水経路
２１  空気遮断弁
２２  水遮断弁
２４  温水循環弁
３１  逆止弁
３２  減圧弁
３３  温度センサ
４１  制御機構
【図１】
2019141798.tif 000003
【図２】
2019141798.tif 000004
【図３】
2019141798.tif 000005